(57)【要約】【課題】様々な機能の実行状態を考慮しながら、スリープモードの予約機能を実行する方法を提供する。【解決手段】方法は、スリープモードが実行されるべき時刻に対応した利用者からのタイミング入力に応答して、デジタルマルチメディア放送（ＤＭＢ）端末のスリープモードをプリセットするステップと、スリープモードの実行時刻の到来を検出するステップとを含む。スリープモードの実行時刻の到来を検出した後で、ＤＭＢサービスに関する所定の機能が実行されているかどうかが判定される。スリープモードの実行は、所定の機能が終了するまで一時中断されると共に、スリープモードの実行は、所定の機能が終了した後で実行される。【選択図】図４
2007110667.tif 000002
【特許請求の範囲】
【請求項１】
スリープモードが実行されるべき時刻に対応した利用者からのタイミング入力に応答して、デジタルマルチメディア放送（ＤＭＢ）端末のスリープモードをプリセットするステップと、
前記スリープモードの実行時刻の到来を検出するステップと、
前記スリープモードの実行時刻の到来を検出した後で、ＤＭＢサービスに関する所定の機能が実行されているかどうかを判定するステップと、
前記所定の機能が終了するまで、前記スリープモードの実行を一時中断するステップと、
前記所定の機能が終了した後で、前記スリープモードを実行するステップと
を含むことを特徴とする方法。
【請求項２】
前記タイミング入力が、その後で前記スリープモードが実行されるべき時間期間である
ことを特徴とする請求項１に記載の方法。
【請求項３】
前記所定の機能が、前記ＤＭＢサービスの記録機能である
ことを特徴とする請求項１に記載の方法。
【請求項４】
前記スリープモードを実行するステップが、前記ＤＭＢサービスを実行するためのモジュールに供給される電力を遮断するステップを含む
ことを特徴とする請求項１に記載の方法。
【請求項５】
前記スリープモードを実行するステップが、前記ＤＭＢサービスを終了するステップを含む
ことを特徴とする請求項１に記載の方法。
【請求項６】
前記スリープモードのプリセットとは独立して前記ＤＭＢサービスが終了した後で、継続して前記スリープモードの実行時刻の到来までに残された時間を計数するステップと、
前記スリープモードのプリセットとは独立した前記ＤＭＢサービスの終了の後、前記残された時間の満了より前にＤＭＢサービスが再開される場合に、前記ＤＭＢサービスを実行するためのモジュールに電力を供給するステップと
を更に含むことを特徴とする請求項１に記載の方法。
【請求項７】
前記スリープモードを実行するステップが、前記ＤＭＢサービスの再開の後、前記残された時間の経過後に前記ＤＭＢサービスを終了する
ことを特徴とする請求項６に記載の方法。
【請求項８】
前記スリープモードの実行時刻の到来を検出するステップが、
前記スリープモードの実行時刻の到来までに残された時間をタイマを用いて計数することにより、該実行時刻の到来を検出すると共に、
前記ＤＭＢ端末が電源を切断される場合に、前記タイマで最終的に計数された時刻を不揮発性メモリブロックに記憶するステップと、
前記ＤＭＢ端末が電源を投入される場合に、前記最終的に計数された時刻から前記タイマの駆動を再開するステップと
を更に含むことを特徴とする請求項１に記載の方法。
【請求項９】
前記所定の機能が、前記ＤＭＢサービスの記録に関する再生機能か、または予約設定機能のいずれかである
ことを特徴とする請求項１に記載の方法。
【請求項１０】
電力を供給するための第１のモジュールと、
スリープモードが実行されるべき時刻に対応した利用者からのタイミング入力に応答して、デジタルマルチメディア放送（ＤＭＢ）端末のスリープモードをプリセットした後で、前記スリープモードの実行時刻の到来を検出し、前記スリープモードの実行時刻の到来を検出した後で、ＤＭＢサービスに関する所定の機能が実行されているかどうかを判定し、前記所定の機能が終了するまで、前記スリープモードの実行を一時中断し、前記所定の機能が終了した後で、前記スリープモードを実行するための第２のモジュールとを備え、
前記第１のモジュールが前記第２のモジュールに電力を供給する
ことを特徴とするＤＭＢ端末。
【請求項１１】
前記タイミング入力が、その後で前記スリープモードが実行されるべき時間期間である
ことを特徴とする請求項１０に記載のＤＭＢ端末。
【請求項１２】
前記所定の機能が、前記ＤＭＢサービスの記録機能である
ことを特徴とする請求項１０に記載のＤＭＢ端末。
【請求項１３】
前記スリープモードを実行することが、前記ＤＭＢサービスを実行するためのモジュールに供給される電力を遮断することを含む
ことを特徴とする請求項１０に記載のＤＭＢ端末。
【請求項１４】
前記スリープモードを実行することが、前記ＤＭＢサービスを終了することを含む
ことを特徴とする請求項１０に記載のＤＭＢ端末。
【請求項１５】
前記第２のモジュールが、
前記スリープモードのプリセットとは独立して前記ＤＭＢサービスが終了した後で、継続して前記スリープモードの実行時刻の到来までに残された時間を計数すると共に、
前記スリープモードのプリセットとは独立した前記ＤＭＢサービスの終了の後、前記残された時間の満了より前にＤＭＢサービスが再開される場合に、前記ＤＭＢサービスを実行するためのモジュールに電力を供給するように構成される
ことを特徴とする請求項１０に記載のＤＭＢ端末。
【請求項１６】
前記スリープモードを実行することが、前記ＤＭＢサービスの再開の後、前記残された時間の経過後に前記ＤＭＢサービスを終了することを含む
ことを特徴とする請求項１５に記載のＤＭＢ端末。
【請求項１７】
前記第２のモジュールが、
前記スリープモードの実行時刻の到来までに残された時間をタイマを用いて計数することにより、該実行時刻の到来を検出すると共に、
ＤＭＢ端末が電源を切断される場合に、前記タイマで最終的に計数された時刻を不揮発性メモリブロックに記憶し、
ＤＭＢ端末が電源を投入される場合に、前記最終的に計数された時刻から前記タイマの駆動を再開するように構成される
ことを特徴とする請求項１０に記載のＤＭＢ端末。
【請求項１８】
前記所定の機能が、前記ＤＭＢサービスの記録に関する再生機能か、または予約設定機能のいずれかである
ことを特徴とする請求項１０に記載のＤＭＢ端末。
【発明の詳細な説明】
【技術分野】
【０００１】
本発明は、デジタルマルチメディア放送（ＤＭＢ）端末に関すると共に、更に特に、デジタルマルチメディア放送端末において、プリセットされたスリープモードの実行時刻が到来するとしても、他の所定の機能の実行状態に従ってスリープモードが実行され得るように、プリセットされたスリープモードの実行を一時中断する方法に関するものである。
【背景技術】
【０００２】
本出願は、その内容が参照によってここに組み込まれると共に、２００５年１０月１０日に韓国特許庁（Korean Intellectual Property Office）に出願され、シリアル番号2005-94724番が付与された出願案件に対する優先権を主張する。
【０００３】
放送サービスを提供するための従来のテレビジョン（ＴＶ）受信機は、プリセットされたスリープモードの実行時刻が到来するときに、放送受信が自動的に終了し得るように、多くの場合、スリープモードの予約機能に対応する。従って、利用者は、ＴＶ受信機がプリセットされたスリープモードの実行時刻に自動的に電源を切断され得るように、所望のスリープモードの実行時刻をプリセットする。以下、図１を参照して、スリープモードの予約機能に関する説明を行う。図１は、従来のＴＶ受信機の内部構造を説明するブロック図である。
【０００４】
図１において示されたように、従来のＴＶ受信機は、ＴＶモジュール１２０に電力を供給するためのメイン電源モジュール１００、ＴＶモジュール１２０に供給される電力を遮断すると共に、ＴＶモジュール１２０に電力を供給するためのスイッチモジュール１１０、放送サービスの提供に従って動作を実行するためのＴＶモジュール１２０、及びスリープモードの予約機能を実行するためのスリープ予約制御モジュール１３０を備える。
【０００５】
以下、図２を参照して、上述の構成を備えるＴＶ受信機における、スリープモードのプリセット手順、及びスリープモードの実行手順を説明する。図２は、従来のＴＶ受信機における、スリープモードのプリセット手順、及び実行手順を説明するフローチャートである。
【０００６】
従来のＴＶ受信機は、ＴＶモジュール１２０を介して放送映像を表示すると共に、更にスリープモードの予約機能に対応することができる。ステップ２００において、もし利用者がスリープモードの予約機能を選択する場合、ＴＶモジュール１２０は、所望のスリープ時刻を受信すると共に設定する。ステップ２１０において、タイマは、駆動される間、時間を計数する。次に、ステップ２２０において、スリープ予約制御モジュール１３０は、プリセットされたスリープモードの実行時刻が到来したかどうかを判定する。もしプリセットされたスリープモードの実行時刻が到来したと判定される場合、ステップ２３０において、スリープ予約制御モジュール１３０は、実行中の全ての動作を終了すると共に、ＴＶ受信機の電源を切断することができる。すなわち、スリープ予約制御モジュール１３０は、スイッチモジュール１１０を制御することによって、メイン電源モジュール１００からＴＶモジュール１２０に供給される電力を遮断することができる。上述のように、従来のスリープモードの予約機能に関して、ＴＶ受信機は単に電源が切断されることができる。
【発明の開示】
【発明が解決しようとする課題】
【０００７】
近年、携帯機器は、標準的な電気通信サービスに加えて、デジタルマルチメディア放送サービスのような様々なサービスを利用者に提供する。それに応じて、スリープモードの予約機能が携帯端末に適用される場合に、プリセットされたスリープモードの実行時刻に不用意に携帯端末の電源を切断することによって、他の所定の機能がリセットされる可能性がある。従って、他の様々な機能の実行状態を考慮しながら、スリープモードの予約機能を実行する方法を備えることが望まれる。
【課題を解決するための手段】
【０００８】
方法は、スリープモードが実行されるべき時刻に対応した利用者からのタイミング入力に応答して、デジタルマルチメディア放送（ＤＭＢ）端末のスリープモードをプリセットするステップと、スリープモードの実行時刻の到来を検出するステップとを含む。スリープモードの実行時刻の到来を検出した後で、ＤＭＢサービスに関する所定の機能が実行されているかどうかが判定される。スリープモードの実行は、所定の機能が終了するまで一時中断されると共に、スリープモードの実行は、所定の機能が終了した後で実行される。
【発明を実施するための最良の形態】
【０００９】
上述の目的と他の目的、及び本発明の特徴と利点は、添付図面と共に取り上げられた以下の詳細な説明から更に明白になる。
【００１０】
以下、添付図面を参照して、本発明の好ましい実施例を詳細に説明する。図面における同一、または同様の構成要素は、それらが異なる図面に示されるとしても、できる限り同じ参照符号によって示される点に注意が必要である。本発明の以下の説明において、本発明の主題を不明瞭にする可能性がある、ここに組み込まれた公知の機能及び構成の詳細な説明は省略する。
【００１１】
本発明の典型的な実施例によれば、本発明の典型的な実施例に基づいたスリープモードの予約機能は、プリセットされたスリープモードの実行時刻が到来するとしても、スリープモードの予約機能が他の所定の機能の実行状態に従って実行され得るように、デジタルマルチメディア放送（ＤＭＢ）端末において実行される。本開示の全体を通して言及されるように、ＤＭＢ端末（または、ＤＭＢ装置）は、携帯電話、ＰＤＡ、及びコンピュータを含むがそれに限定されない、デジタルマルチメディア放送サービスを受信するための全ての端末であり得る。このために、本発明の典型的な実施例によれば、もしスリープモードの実行時刻に対応する入力を利用者が入力する場合、タイマを駆動することによって、スリープモードの実行時刻が到来するかどうかに関して判定を実行する。
【００１２】
スリープモードの実行時刻が到来したことを判定した後で、実行中の他の所定の機能があるかどうかに関して判定が実行され得る。もし実行中の他の所定の機能があると判定される場合、プリセットされたスリープモードの実行は、対応する実行中の所定の機能が終了するまで、一時中断されることができる。所定の機能が終了した後で、プリセットされたスリープモード動作が実行される。スリープモードの実行は、“（１）ＤＭＢサービスを実行するためのモジュールに供給される電力を遮断すること”、及び“（２）ＤＭＢサービスを終了すること”の内の１つ、または両方を含むことができる。
【００１３】
従って、プリセットされたスリープモードの実行によって、放送モジュールに供給される電力が遮断されるときに、放送の記録の中断のような、他の所定の機能のリセット、または急な中止を防止することが可能である。
【００１４】
更に、本発明の典型的な実施例によれば、デジタルマルチメディア放送サービスが、プリセットされたスリープモードの設定とは独立して終了される／中断される場合に（例えば、ＤＭＢ端末によるデジタルマルチメディア放送サービスの受信の欠如）、スリープモードの設定は‘オン’として維持されることができる。もしデジタルマルチメディア放送サービスが、セットされたスリープモードの実行時刻の満了以前に再開される場合、プリセットされたスリープモードは、放送サービスが中断される期間の時間の経過を記録することによって、設定された時刻に実行されることができる。
【００１５】
以下、図３を参照して、本発明の典型的な実施例による、上述の機能を実行するデジタルマルチメディア放送端末の構成要素、及び動作を説明する。図３は、本発明の実施例に従ってプリセットされたスリープモードの実行を一時中断することが可能である、デジタルマルチメディア放送端末の内部構造を説明するブロック図である。
【００１６】
本発明の実施例によるデジタルマルチメディア放送端末は、ＤＭＢモジュール３００、電気通信モジュール３１０、メイン電源モジュール３２０、スイッチモジュール３３０、及びスリープ予約制御モジュール３４０を備える。ＤＭＢモジュール３００は、従来のＤＭＢサービスを実行するための構成要素を備えることができる。電気通信モジュール３１０は、標準的な携帯機器における従来の電気通信サービスを実行するための構成要素を備えることができる。モジュール３００、及びモジュール３１０の各々の構成要素の動作は、一般的に当業者に知られているので、冗長性を回避するために、これらの動作に関する詳細な説明は省略する。
【００１７】
本発明の典型的な実施例による電気通信モジュール３１０は、メイン電源モジュール３２０から電力を取得すると共に、無線通信、またはデジタルマルチメディア放送端末内のデータ処理を含む、従来の電気通信サービスを実行する。更に、ＤＭＢモジュール３００は、メイン電源モジュール３２０から電力を取得すると共に、標準的なＤＭＢサービスを実行する。メイン電源モジュール３２０は、デジタルマルチメディア放送端末のバッテリと接続される。この場合、ＤＭＢモジュール３００は、スイッチモジュール３３０を通して、電力をメイン電源モジュール３２０から直接取得することができる。同様に、デジタルマルチメディア放送端末は、ＤＭＢモジュール３００が、電気通信モジュール３１０を介して、電力を間接的に取得するように実現されることができる。更に、デジタルマルチメディア放送端末は、プリセットされたスリープモードの実行によって電力が遮断されるとしても、モジュールの全ての機能の停止を防止するために、ＤＭＢモジュール３００、及び電気通信モジュール３１０の内の１つに供給される電力のみが遮断され得るように実現されることができる。
【００１８】
特に図３は、プリセットされたスリープモードが実行される場合に、メイン電源モジュール３２０からＤＭＢモジュール３００に供給される電力のみが遮断され得るように各構成要素が実現される、本発明の典型的な実施例を説明する。スイッチモジュール３３０は、電力供給のための接続を制御するために、メイン電源モジュール３２０とＤＭＢモジュール３００との間に提供されると共に、スイッチモジュール３３０は、スリープ予約制御モジュール３４０によって制御される。スリープ予約制御モジュール３４０は、図３に示されるように、電気通信モジュール３１０から分離された構成要素、または電気通信モジュール３１０に含まれる構成要素として実現されることができる。スリープ予約制御モジュール３４０は、ＤＭＢサービスが終了されると共に、ＤＭＢモジュール３００に供給される電力が遮断されるとしても、プリセットされたスリープモードの実行が単独で実行され得るように、ＤＭＢモジュール３００の外側で実現されることができる。スリープ予約制御モジュール３４０は、プリセットされたスリープモードの実行時刻が到来するかどうかを判定するために、タイマを駆動する。
【００１９】
もしプリセットされたスリープモードの実行時刻が到来する場合、本発明の典型的な実施例によるスリープ予約制御モジュール３４０は、ＤＭＢサービスを終了するために、スイッチモジュール３３０を制御することによって、ＤＭＢモジュール３００に供給される電力を遮断する。この場合、本発明の実施例によれば、もしＤＭＢモジュール３００に関して現在実行中の１つ以上の所定の機能が存在する場合、スリープ予約制御モジュール３４０は、対応する機能の終了を待ち、その後、それらの機能が完全に終了した後でＤＭＢサービスを終了する。例えば、プリセットされたスリープモードの実行時刻が到来したときに、もし放送の記録機能がまだ実行されている場合、スリープ予約制御モジュール３４０は、記録動作の終了を待ち、その後ＤＭＢサービスを終了する。
【００２０】
以下、プリセットされたスリープモードの実行時刻が到来したかどうかを判定する期間の間に、（例えば、ＤＭＢサービスの受信の欠如によって）ＤＭＢサービスが中断されるか、または利用者がＤＭＢサービスを終了し、その後再開する、本発明の典型的な実施例を説明する。たとえ、（例えば、利用者による終了か、またはＤＭＢサービスの受信の欠如によって）ＤＭＢサービスが終了されて、その後再開されるとしても、スリープ予約制御モジュール３４０は、ＤＭＢモジュール３００の動作（例えば、ＤＭＢモジュールは、電力を節約するためにその電力を遮断することによって、電源を切断され得る）に関係なく、スリープモードの設定が‘オン’として維持され得るように、タイマを駆動すると共に、プリセットされたスリープモードの実行時刻が到来するかどうかを判定することを継続する。すなわち、（例えば、ＤＭＢサービスの欠如のために）ＤＭＢサービスが終了されるときでさえも、スリープ予約制御モジュール３４０は、スリープモードを‘オフ’に設定するリセットを禁止するために、時間を計数し続ける。
【００２１】
以下、図４を参照して、上述の機能を備えるデジタルマルチメディア放送端末において、プリセットされたスリープモードの実行を一時中断する手順を説明する。図４は、本発明の実施例に従って放送を記録している間、プリセットされたスリープモードの実行を一時中断する制御手順を説明するフローチャートである。
【００２２】
ステップ４００において、もし利用者がスリープモードの実行時刻を設定する場合、ステップ４１０において、スリープ予約制御モジュール３４０は、スリープモードの実行時刻が到来したかどうかを判定するために、タイマを駆動する。スリープモードの実行時刻のセットは、ファイル、またはデータベースを使用することよって電気通信モジュール３１０内に実装されたメモリの不揮発性ブロックに記憶される。
【００２３】
ステップ４２０において、スリープ予約制御モジュール３４０は、プリセットされたスリープモードの実行時刻が到来したかどうかを判定する。プリセットされたスリープモードの実行時刻の到来によって、プリセットされたスリープモードを実行するために、実行中の機能を終了しなければならないとき、スリープ予約制御モジュール３４０は、実行中の所定の機能が存在するかどうかを判定する。例えば、ＤＭＢモジュール３００に関して実行される様々な機能の中で、放送の記録機能が実行されているとき、ステップ４３０において、スリープ予約制御モジュール３４０は、放送の記録機能が実行中であるかどうかを判定する。もし放送の記録機能が実行中である場合、ステップ４４０において、スリープ予約制御モジュール３４０は、放送の記録機能の終了を待ち、その後、放送の記録機能が完全に終了した後で、ステップ４５０において、ＤＭＢサービスを終了する。
【００２４】
デジタルマルチメディア放送サービスに関する所定の機能の中で、放送の記録機能が上述のように説明されたが、利用者によって記録された放送の再生機能、及び予約記録の希望時間の入力機能のような、放送の記録機能以外の所定の機能を利用者が実行している場合に、プリセットされたスリープモードの実行を一時中断するための方法が適用される得る。すなわち、上述のデジタルマルチメディア放送サービスに関する様々な所定の機能は、プリセットされたスリープモードの実行に起因する端末装置内のＤＭＢモジュール３００に対する電力の遮断を一時中断するための要因としての役目を果たす。
【００２５】
本発明の別の実施例によれば、（例えば、利用者による終了か、またはＤＭＢサービスの受信の欠如によって）もしＤＭＢサービスが終了される場合、スリープ予約制御モジュール３４０は、プリセットされたスリープモードの実行時刻が到来するかどうかを判定するために、継続してタイマを駆動することによって、時間を継続して計数する。ＤＭＢサービスが終了されると同時に、ＤＭＢモジュールに対する電力が遮断され得る。従って、残り時間を計数している間にＤＭＢサービスが再開される場合に、再開時刻からプリセットされたスリープモードの実行時刻までの残り時間が計数され、その場合に、ＤＭＢサービスは残り時間の後で終了される。（例えば、利用者によって、または再開されるＤＭＢサービスの受信によって）ＤＭＢサービスが再開されるとき、もしプリセットされたスリープモードの実行時刻までに残り時間がある場合、ＤＭＢモジュール３００は、再び電力を取得すると共に、サービス接続に従ってデジタルマルチメディア放送サービスを提供する。
【００２６】
本発明の典型的な実施例によれば、デジタルマルチメディア放送端末が電源を切断される場合に、スリープ予約制御モジュール３４０は、端末が電源を切断されるときに最終的に計数された時刻を不揮発性メモリに記憶することができる。従って、デジタルマルチメディア放送端末が電源を投入される場合に、スリープ予約制御モジュール３４０は、記憶されている最終的に計数された時刻に基づいてタイマの駆動を再開する。なお、タイマは、デジタルマルチメディア放送端末が電源を切断される場合、同様に電源を切断される。従って、スリープ予約制御モジュール３４０は、記憶されている最終的に計数された時刻に基づいて、プリセットされたスリープモードのためのプリセットされたスリープモードの実行時刻まで、再び時間を計数する。
【００２７】
そして、もし予定の時刻が到来した場合、スリープ予約制御モジュール３４０は、実行中である他の所定の機能の活性化状態に基づき、上述の方式を通じてプリセットされたスリープモードの実行の中断を決定する。もし実行中の所定の機能が完全に終了される場合、スリープ予約制御モジュール３４０は、ＤＭＢモジュール３００に供給された電力を遮断するために、プリセットされたスリープモードを実行する。そして、もしスイッチモジュール３３０を通じて供給される電力を遮断することによって、ＤＭＢモジュール３００における動作が終了される場合、ＤＭＢサービスが終了される。
【００２８】
以下、図５（ａ）から図５（ｆ）、及び図６（ａ）から図６（ｅ）を参照して、本発明の典型的な実施例を説明する。図５（ａ）から図５（ｆ）は、本発明の実施例によるデジタルマルチメディア放送端末においてスリープモードをプリセットする第１の例を説明する図であり、図６（ａ）から図６（ｅ）は、本発明の実施例によるデジタルマルチメディア放送端末においてスリープモードをプリセットする第２の例を説明する図である。
【００２９】
図５（ａ）から図５（ｆ）を参照すると、図５（ａ）は、ＤＭＢサービスに基づくと共に、利用者がスリープモードをプリセットすることができるようにメニュー機能が放送映像内に更に提供される、放送の表示の例を説明する図である。
【００３０】
更に、図５（ａ）及び図５（ｃ）は、利用者が、放送を視聴中にスリープモード予約機能を呼び出した場合、及びスリープモード予約機能の項目を選択するため、利用者がメニューを選択する場合を説明する。図５（ｂ）及び図５（ｃ）は、“解除”、“３０分後に”、“６０分後に”、“９０分後に”、“１２０分後に”、“１５０分後に”、そして“１８０分後に”のような項目が、スリープモード予約機能の項目に関する補助的項目（sub items）として供給されることを説明する。上述のように、プリセットされたスリープモードの実行時刻は、所定の時間期間の後でデジタルマルチメディア放送サービスを終了するモードである、スリープモードを実行する時刻を意味する。
【００３１】
更に、図５（ｂ）及び図５（ｃ）に示されるように、方向キーは選択キーとして使用され、それによって補助的項目の間の移動を可能にする。図５（ｂ）に示されるように、もし“解除”という項目が表示された状態で、利用者によって方向キーが入力される場合、他の補助的項目が表示される。図５（ｄ）に示されるように、もし利用者が、“３０分後に”という項目が表示された状態で、“Ｅｎｔｅｒキー”を入力する場合、プリセットされるスリープモードの実行時刻が設定される。プリセットするスリープ時刻を、例えば現在時刻からの３０分にすることが可能である。更に、図５（ｄ）で示されたように、もしスリープモードの予約機能が設定されることを報告するメッセージが表示された状態において、利用者によって別のキーが入力されない場合、スリープモードの予約機能に関する映像は終了されると共に、図５（ｅ）に示される放送の映像が再び表示される。そして、上述の現在時刻から起算して３０分が経過した（すなわち、プリセットされたスリープ時刻が到来した）後で、ＤＭＢサービスが終了されると共に、その後、図５（ｆ）で示されるように、所定の映像が表示され得る。
【００３２】
図６（ａ）から図６（ｅ）は、既にスリープモードの予約機能が設定されたときにスリープモードの予約機能が選択される本発明の典型的な実施例を説明する。図６（ａ）は、利用者が図５（ａ）で示されたスリープモードの予約機能を設定することができるように、メニュー機能が更に放送の映像上に提供されることを説明する。従って、既にスリープモードの予約機能が実行されたので、メニュー機能が選択されるとき、図６（ｂ）において、スリープモードの予約機能が実行されていることを報告する“進行中の”メッセージが表示されることができる。更に、参照符号６００によって示されるように、プリセットされたスリープモードの実行時刻までの残り時間が表示されることができる。この場合に、図６（ｃ）で示されたように、利用者は、方向キーを選択キーとして使用することによって、プリセットされるスリープモードの実行時刻を変更することができる。従って、もし、図６（ｃ）において、利用者により方向キーが押下されることによって“解除”という項目が選択される場合、図６（ｄ）で示される画面の映像が表示される。この状態において、もし“ｅｎｔｅｒ”キーが入力される場合、スリープモードの予約機能は解除される。更に、もし利用者が、図６（ｃ）に示されるように、“３０分後に”という項目が表示された状態で、“Ｅｎｔｅｒキー”を押下する場合、図６（ｅ）に示されるように、所定時間の間、プリセットされるスリープモードの実行時刻が設定されることを報告するメッセージが表示されると共に、その次に、表示画面は放送サービスの映像に戻る。上述のように、もしプリセットされたスリープモードの実行時刻が変更される場合、以前のプリセットされたスリープモードの実行時刻に関する残り時間のカウントは削除される。
【００３３】
上述のように、メニュー項目が方向キー、及び“Ｅｎｔｅｒ”キーを用いて移動されると共に選択されるが、本発明の典型的な実施例によるスリープモードの予約機能は、キーパッドだけを用いて提供されるだけでなく、タッチスクリーンを用いて提供されることができる。更に、図５（ｆ）及び図６（ｅ）は、スリープモードの予約機能を設定するための補助的項目、及びスリープモードの予約機能が設定されている状態での補助的項目の例を説明するが、これらは、単なる一例であると共に、本発明の典型的な実施例に基づく内容は、これらの例に制限されない。すなわち、利用者、サービスプロバイダ、及び装置製造会社の選択に従って、様々な補助的項目、及び様々な映像を作ることが可能である。
【００３４】
上述のように、本発明の典型的な実施例によれば、利用者が、デジタルマルチメディア放送端末における記録機能、再生機能、及び予約記録設定機能のような、他の所定の機能を使用している間にスリープモードの予約機能が実行されるとき、プリセットされたスリープモードの実行は、デジタルマルチメディア放送に関する実行中の他の所定の機能（例えば、放送サービスを液晶表示装置またはスピーカーに出力することのような、典型的な放送の機能以外の機能）が終了するまで一時中断され、その後で実行される。実行中の他の所定の機能の意図しない急な中止を防止することが可能である。
【００３５】
本発明は、それについてのいくつか好ましい実施例を参照して示されると共に説明される一方、当業者によって、発明の精神及び範囲から外れずに、その中で形式及び細部の様々な変更が実行され得ると理解されることになる。
【図面の簡単な説明】
【００３６】
【図１】従来のＴＶ受信機の内部構造を説明するブロック図である。
【図２】従来のＴＶ受信機において、スリープモードの予約機能を実行する従来の手順を説明するフローチャートである。
【図３】本発明の実施例に従ってプリセットされたスリープモードの実行を一時中断することが可能であるＤＭＢ端末の内部構造を説明するブロック図である。
【図４】本発明の実施例に従って放送を記録している間プリセットされたスリープモードの実行を一時中断する制御手順を説明するフローチャートである。
【図５】（ａ）〜（ｆ）は本発明の実施例によるＤＭＢ端末においてスリープモードをプリセットする第１の例を説明する図である。
【図６】（ａ）〜（ｅ）は本発明の実施例によるＤＭＢ端末においてスリープモードをプリセットする第２の例を説明する図である。
【符号の説明】
【００３７】
１００    メイン電源モジュール
１１０    スイッチモジュール
１２０    ＴＶモジュール
１３０    スリープ予約制御モジュール
３００    ＤＭＢモジュール
３１０    電気通信モジュール
３２０    メイン電源モジュール
３３０    スイッチモジュール
３４０    スリープ予約制御モジュール
【図１】
2007110667.tif 000003
【図２】
2007110667.tif 000004
【図３】
2007110667.tif 000005
【図４】
2007110667.tif 000006
【図５】
2007110667.tif 000007
【図６】
2007110667.tif 000008